(57)【特許請求の範囲】
【請求項１】
天井に埋め込んで使用されるアンテナにおいて、
中央部に凹部が形成されたグランド板と、
前記凹部内を通って前記グランド板から突出する状態で配置され、周囲方向に指向性のない垂直偏波の電波を放射する放射素子と、
前記放射素子の先端側に配置され、容量性負荷を成す板状部材と、
前記放射素子と前記グランド板との間を導通して接続する導通手段と、
を有することを特徴とする天井埋め込み型アンテナ。
【請求項２】
前記導通手段は、前記放射素子上の電流を制御してインピーダンスの整合を取るスタブであることを特徴とする請求項１に記載の天井埋め込み型アンテナ。
【請求項３】
前記放射素子の前記グランド板からの突出量は、前記電波の使用周波数の０．１波長又はその許容誤差範囲内であることを特徴とする請求項１又は２に記載の天井埋め込み型アンテナ。
【請求項４】
前記スタブは、少なくとも１箇所折り曲げて成ることを特徴とする請求項２に記載の天井埋め込み型アンテナ。
【請求項５】
前記スタブは、前記放射素子側の一端と、前記グランド板側の他端とを結ぶ中心線を基準にして線対称の形状に形成されることを特徴とする請求項２又は４に記載の天井埋め込み型アンテナ。
【請求項６】
前記板状部材は金属製の円盤から成り、前記スタブは金属板から成ることを特徴とする請求項２、４及び５のいずれか１項に記載の天井埋め込み型アンテナ。
【請求項７】
前記放射素子及び前記グランド板を覆うカバーをさらに有することを特徴とする請求項１乃至６のいずれか１項に記載の天井埋め込み型アンテナ。
【請求項８】
前記放射素子が接続される同軸ケーブルのコネクタをさらに有し、
前記コネクタは、前記凹部の底側に取り付けられていることを特徴とする請求項１乃至７のいずれか１項に記載の天井埋め込み型アンテナ。
【請求項９】
前記凹部は、前記グランド板に設けた開口を覆うキャップで構成され、
前記コネクタは、前記キャップの底側に取り付けられていることを特徴とする請求項８に記載の天井埋め込み型アンテナ。
【請求項１０】
前記グランド板は、前記天井の天井面側に固定され、
前記キャップは、前記天井に設けた開口部を介してその背面側に突出する状態で配置されることを特徴とする請求項９に記載の天井埋め込み型アンテナ。
【請求項１１】
前記円盤と前記スタブとが直接接していないことを特徴とする請求項６に記載の天井埋め込み型アンテナ。
【請求項１２】
前記円盤と前記スタブとが直接接していることを特徴とする請求項６に記載の天井埋め込み型アンテナ。
【請求項１３】
前記放射素子は、ポール状の中心導体を有することを特徴とする請求項１から１２のいずれか１項に記載の天井埋め込み型アンテナ。
【発明の詳細な説明】
【技術分野】
【０００１】
本発明は、天井埋め込み型アンテナに係り、とくに携帯電話システムの基地局アンテナとして使用されるアンテナの構造に関する。
【背景技術】
【０００２】
従来の室内用の携帯電話基地局アンテナとしては、モノポールアンテナやマイクロストリップアンテナなどが知られている。
【０００３】
図１１（ａ）及び（ｂ）は、従来例のモノポールアンテナを示す。その構成を以下に説明する。モノポールアンテナは、コネクタ１０１と、グランド板１０２と、放射素子１０３と、カバー１０４とから構成される。コネクタ１０１は、グランド板１０２の中央に配置され、グランド板１０２に設けた中央の穴を介して、グランド板１０２の反対側の放射素子１０３と導通される。放射素子１０３は、グランド板１０２の中央に垂直に配置され、使用周波数の４分の１波長の長さである。カバー１０４は、全体を覆うようにグランド板１０２に固定される。
【０００４】
モノポールアンテナの周囲方向の放射パターンは、垂直偏波の無指向性であるため、室内使用の携帯電話基地局アンテナとしては、理想的な放射パターンを有する。しかし、放射素子１０３が４分の１波長の長さを必要とするため、アンテナを低姿勢化できないという欠点を有する。
【０００５】
図１２（ａ）及び（ｂ）は、従来例のマイクロストリップアンテナを示す。その構成を以下に説明する。マイクロストリップアンテナは、コネクタ１１１と、グランド板１１２と、放射素子１１３が形成されたプリント基板１１４と、サポート１１５と、無給電素子１１６と、カバー１１７とから構成される。グランド板１１２の背面には、コネクタ１１１が配置される。グランド板１１２の表面には、プリント基板１１４を有する。プリント基板１１４の表面には、長方形状の放射素子１１３が導体により構成される。この放射素子１１３は、エッチング技術により製造される。プリント基板１１４の上には、サポート１１５を介して無給電素子１１６が配置される。無給電素子１１６は、長方形をなしている。
【０００６】
このような無給電素子１１６を有するマイクロストリップアンテナは、一般的に比帯域が１０％以上の広帯域であるため、第三世代等の携帯電話システムの帯域をカバーすることができる。また、アンテナの厚さが仕様周波数の０．１波長程度に低姿勢化できる特徴がある。しかし、マイクロストリップアンテナの指向性は、アンテナ面の正面方向（天井に設置した場合は真下方向）にあり、周囲方向は利得が低いという欠点を有する。さらに、周囲方向の偏波面は垂直と水平偏波が混在しているため、基地局アンテナとしては不向きである欠点を有する。
【０００７】
なお、モノポールアンテナに関連する先行技術文献としては、例えば次のものがある。
【特許文献１】特開２００２−０８４１２４号公報
【発明の開示】
【発明が解決しようとする課題】
【０００８】
しかしながら、従来例のモノポールアンテナに関しては、使用波長の４分の１の長さを必要とし垂直に設置しなければならないため、天井面からモノポールが突出し、室内環境において目立ってしまうと言う欠点があった。また、モノポールアンテナの低姿勢化を図る手段として、例えば特許文献１で記載されているように、モノポールの先に円盤状の容量性の負荷をつけることにより、４分の１波長より短い長さでアンテナを共振させることができるが、これは狭帯域となる欠点があり、第３世代等の携帯電話システムでは所望の帯域が得られない。
【０００９】
また、従来例のマイクロストリップアンテナに関しては、天井面に対して０．１波長程度の厚さでアンテナを構成することができるが、電波の偏波面が周囲方向によって、垂直偏波と水平偏波が混在してしまうという欠点があった。さらにマイクロストリップアンテナにおいては、アンテナの指向性が下を向いており、下方向に電波が強すぎ、周囲方向では弱すぎると言う欠点もあった。
【００１０】
いずれの方式によるアンテナにおいても、モノポールアンテナのような周囲方向に指向性のない垂直偏波を放射し、かつマイクロストリップアンテナのように低姿勢で広帯域な特徴を有するアンテナを実現していなかった。
【００１１】
本発明は、携帯電話システムの基地局アンテナとして使用される天井埋め込み型アンテナにおいて、周囲方向に指向性のない垂直偏波を放射し、かつ、薄型（低姿勢）で設置環境にて目立たないアンテナを提供することを目的とする。
【課題を解決するための手段】
【００１２】
上記目的を達成するため、本発明に係る天井埋め込み型アンテナは、天井に埋め込んで使用されるアンテナにおいて、中央部に凹部が形成されたグランド板と、前記凹部内を通って前記グランド板から突出する状態で配置され、周囲方向に指向性のない垂直偏波の電波を放射する放射素子と、前記放射素子の先端側に配置され、容量性負荷を成す板状部材と、前記放射素子と前記グランド板との間を導通して接続する導通手段と、を有することを特徴とする。
【００１３】
好適な態様として、前記導通手段は、前記放射素子上の電流を制御してインピーダンスの整合を取るスタブであってもよい。前記放射素子の前記グランド板からの突出量は、前記電波の使用周波数の０．１波長又はその許容誤差範囲内であってもよい。
【００１４】
また、前記スタブは、少なくとも１箇所折り曲げて成ってもよい。前記スタブは、前記放射素子側の一端と、前記グランド板側の他端とを結ぶ中心線を基準にして線対称の形状に形成されてもよい。前記板状部材は金属製の円盤から成り、前記スタブは金属板から成ってもよい。
【００１５】
さらに、前記放射素子及び前記グランド板を覆うカバーをさらに有してもよい。前記放射素子が接続される同軸ケーブルのコネクタをさらに有し、前記コネクタは、前記凹部の底側に取り付けられてもよい。前記凹部は、前記グランド板に設けた開口を覆うキャップで構成され、前記コネクタは、前記キャップの底側に取り付けられてもよい。前記グランド板は、前記天井の天井面側に固定され、前記キャップは、前記天井に設けた開口部を介してその背面側に突出する状態で配置されてもよい。前記放射素子は、ポール状の中心導体を有してもよい。
【発明の効果】
【００１６】
本実施例によれば、携帯電話システムの基地局アンテナとして使用される天井埋め込み型アンテナにおいて、周囲方向に指向性のない垂直偏波を放射し、かつ、薄型（低姿勢）で設置環境にて目立たないアンテナを提供することができる。
【発明を実施するための最良の形態】
【００１７】
次に、図面を参照して、本発明に係る天井埋め込み型アンテナの種々の実施例について詳細に説明する。
【実施例１】
【００１８】
まず、図１〜図６を参照して、本発明の第１の実施例を説明する。
【００１９】
本実施例による天井埋め込み型アンテナ（以下、単に「アンテナ」と略称する）は、携帯電話システムの基地局アンテナで使用されるものである。図１〜図３に示すように、本実施例のアンテナは、同軸コネクタ１と、同軸コネクタ１が固定されるグランド（接地）板２と、同軸コネクタ１に電気的に接続され且つマイクロ波を放射する放射素子３と、アンテナ全体を覆うカバー４とから構成される。
【００２０】
同軸コネクタ１は、図示していない同軸ケーブルに接続される。同軸ケーブルは、送信機からのマイクロ波信号を放射素子３に供給する一方、放射素子３にて受波されるマイクロ波信号を受信機に供給する。なお、同軸ケーブル、送信機、受信機は、本発明とは直接関係がないため、その詳細な説明を省略する。
【００２１】
グランド板２には、円板状に形成され、その半径方向の位置の異なる３箇所に、それぞれ円周方向に沿って所定間隔で複数の取付穴２ａ、２ｂ、２ｃが同心円状に形成されている。また、このグランド板２には、その中央部に円形状の開口が形成され、その開口内に所定深さの円形状の凹部（くぼみ）６が配設されている。この凹部６は、本実施例では、図２に示すように、円筒状のキャップ５の内側形状により実現される。
【００２２】
キャップ５は、グランド板２の中央部の背面側でその円形状開口を覆う状態で固定される。この固定は、キャップ５の開口縁側（鍔部）に設けた取付穴５ｂと、グランド板２の開口周囲の取付穴２ｃとを介して取り付け用のボルト７により締結して行われる。また、このキャップ５には、同軸コネクタ１が固定される。この固定は、取り付け用のネジ１ａにより締結して行われる。これにより、同軸コネクタ１は、キャップ５を介して凹部６内に位置する放射素子３に接続される。
【００２３】
放射素子３は、本実施例では、図２に示すように、素子本体を成すポール状の中心導体１２と、容量性負荷を構成する金属製の円盤（円板状部材）１３と、所定形状の真鍮などの金属板を折り曲げて成るスタブ１１とから構成される。
【００２４】
このうち、中心導体１２は、図３（ａ）に示すように、キャップ５内の凹部６の底部側からその開口を経てグランド板２から垂直又は略垂直方向（凹部６の深さ方向）に所定量（突出量Ｈ）突き出るように配置される。この中心導体１２の基端側（凹部６の底部側）は、同軸コネクタ１に電気的に接続され、その先端側（凹部６の開口側）は、円盤１３に電気的に接続される。
【００２５】
円盤１３は、凹部６内から突き出た中心導体１２の先端側の位置で、グランド板２に平行又は略平行な状態で配設される。この円盤１３により、中心導体１２の先端側に容量性負荷が与えられ、これにより中心導体１２の長さを使用周波数の４分の１波長よりも短くすることができる。本実施例では、放射素子３のグランド板２からの突出量Ｈが使用周波数の０．１波長又はその許容誤差範囲内となるように、中心導体１２の長さと、凹部６の深さとが設定されている。
【００２６】
スタブ１１は、本実施例では、図３（ａ）及び（ｂ）に示すように、長方形状の金属板を２箇所折り曲げた形状を示す（図３（ｂ）中の折り曲げ部１１ｂ参照）。このスタブ１１は、図３（ａ）に示すように、一方の端部が中心導体１２に接すると共に、他方の端部が、インピーダンスの整合を取るためにグランド板２に導通可能に固定されている。スタブ１１とグランド板２との固定は、スタブ１１の取付穴１１ａ（図３（ｂ）参照）と、グランド板２の取付穴２ｃ（図２参照）とを介してネジ８により締結して行われる。
【００２７】
上記のスタブ１１、中心導体１２、及び円盤１３は、図３（ａ）に示すようにハンダ付けで固定されている（図中のハンダ付け部１４参照）。
【００２８】
カバー４は、アンテナ全体を覆ってグランド板２に固定されている。カバー４とグランド板２との固定は、カバー４の取付穴と、グランド板２の取付穴２ａとを介してネジ９（図４（ａ）参照）により締結して行われる。カバー４の材質は、例えばＡＢＳ、ポリカーボネートが適しており、切削や成型技術により製造される。
【００２９】
次に、図４（ａ）及び（ｂ）を参照して、上記構造のアンテナの天井ＣＥへの取り付け方法について説明する。
【００３０】
この取り付けでは、図４（ｂ）に示す取付金具１６が用いられる。取付金具１６は、図４（ｂ）に示すように、円板状に形成され、その中心部に円形状の開口１６ａを有する。開口部１６ａの径は、アンテナのキャップ５の外径よりも大きく設定されている。この取付金具１６には、開口１６ａを挟んで径方向に対向する２箇所に取付穴１６ｂが形成される。
【００３１】
上記の取付金具１６は、図４（ａ）に示すように、アンテナが設置される天井ＣＥの背面側で、その開口１６ａが天井ＣＥに設けた開口部を臨む状態で配置される。これに対し、アンテナは、図４（ａ）に示すように、天井ＣＥの開口部及び取付金具１６の開口１６ａにキャップ５及び同軸アンテナ１が挿入される状態で配置される。この状態で、アンテナは、天井ＣＥを挟んで取付金具１６に固定される。アンテナと取付金具１６との固定は、天井ＣＥの開口部を介して、アンテナの取付穴２ｂ（図１、図２参照）と、取付金具１６の取付穴１６ｂとに沿ってボルト１７及びナット１８で締結して行われる。このようにして、キャップ５の大部分が天井ＣＥに埋め込まれ、その底部が天井ＣＥの背面側へ突出する状態で、アンテナが天井ＣＥに設置される。
【００３２】
次に、上記構造のアンテナについて、放射パターン及びリターンロス特性を調べた結果を説明する。なお、電波の使用周波数は、携帯電話システムの基地局アンテナで使用されているマイクロ波の帯域を用いた。グランド板２からの放射素子３の突出量Ｈは、その使用周波数の０．１波長に設定した。
【００３３】
図５（ａ）は、アンテナの仰角方向（垂直面）の放射パターンを示す図、図５（ｂ）はアンテナの周囲方向（水平面）の放射パターンを示す図である。これによると、アンテナの仰角方向の放射パターンは、図５（ａ）に示すように、水平から斜め方向に最大点となり、リンゴ型の指向性を形成していることが確認された。また、アンテナの周囲方向の放射パターンは、図５（ｂ）に示すように、無指向性を形成していることが確認された。その結果、本実施例によるアンテナは、垂直偏波の無指向性を示し、室内使用の携帯電話基地局アンテナとしては理想的な放射パターンを有していることが分かった。
【００３４】
図６は、アンテナのリターンロス特性を示す図である。図６によると、アンテナのリターンロス［ｄＢ］は、マイクロ波の使用周波数（図中の規格化周波数１．０）を挟んで比帯域１０％以下（規格化周波数０．９５〜１．０５）で−１０［ｄＢ］以下となり、広帯域で良好なリターンロス特性が得られることが確認された。
【００３５】
次に、本実施例の動作について、送信時のマイクロ波信号の流れに沿って説明する。
【００３６】
まず、送信機等より同軸ケーブルを介して、同軸コネクタ１よりマイクロ波信号が供給される。マイクロ波信号は、放射素子３にて所望の周波数にて共振する。このとき、スタブ１１がグランド板２に導通して接続されることにより、放射素子３上の電流を制御し、インピーダンスの整合を取っている。
【００３７】
次いで、放射素子３が共振することにより、放射素子３とグランド板２の間に電界が立ち、垂直方向の偏波にて電波を空間に放射する。放射された垂直偏波の電波は、前述した放射パターンを形成する。すなわち、この放射パターンは、周囲方向は無指向性で（図５（ｂ）参照）、仰角方向は水平から斜め方向に最大点となり、リンゴ型の指向性を形成する（図５（ａ）参照）。
【００３８】
なお、本実施例の動作の説明は、送信時のマイクロ波信号の流れを説明したが、受信時は、マイクロ波信号の流れの向きが逆となるだけで可逆性が成り立つため、詳細な説明を省略する。
【００３９】
以上説明したように、本実施例によるアンテナは、以下のような特徴をもつ。
【００４０】
１）グランド板２の放射素子３が配置される中央部に、キャップ５により凹部（くぼみ）６を設けている。
２）放射素子３に金属板を折り曲げたスタブ１１を設けている。スタブ１１の一方の端はグランド板２と導通している。
３）放射素子３の先端側に円盤状の容量性負荷である円盤１３を設けている。
４）放射素子３のグランド板２からの突出量は、使用周波数の０．１波長程度である。
【００４１】
従って、このような特徴により、本実施例では、以下のような効果を奏する。
【００４２】
第１の効果は、アンテナを薄型化できる点にある。本実施例では、グランド板２からの放射素子３の突出量が低姿勢化できるので、天井ＣＥに埋め込まれたキャップ５部分を除いて、使用波長の０．１波長程度まで薄型化できる。このような薄型化によって、室内等の設置された環境において非常に目立たないようにすることができる。
【００４３】
第２の効果は、アンテナから放射される垂直偏波の水平面の指向性を無指向性にできる点にある。本実施例では、アンテナの放射パターンは、図５（ｂ）に示すように、水平方向に垂直偏波の無指向性を実現できる。これは、携帯電話の室内基地局アンテナとしては理想的な放射パターンとなっている。
【００４４】
第３の効果は、アンテナの使用周波数を広帯域化できる点にある。本実施例では、図６に示すように、比帯域１０％を有する特徴があるため、第三世代等の携帯電話システムの帯域に適用することができる。
【００４５】
第４の効果は、アンテナの設置工事が容易になる点である。キャップ５が天井ＣＥの背面側へ突出しているので、同軸ケーブルの同軸コネクタ１の締め付け時に工具と天井板とで干渉することがない。
【００４６】
第５の効果は、アンテナの製造が容易なことにある。同軸コネクタ１とカバー４を除いては、すべて簡単な金属部品で製造が可能であり、少量生産でも部品を安価に製造することができることである。
【００４７】
すなわち、本実施例によれば、携帯電話システムの基地局アンテナとして使用される天井埋め込み型アンテナにおいて、１）使用波長の０．１波長程度の薄型である、２）周囲方向に無指向性で、良好な垂直偏波を放射する、３）広帯域である、４）製造が容易である、５）設置工事が容易である。これにより、薄型（低姿勢）で設置環境にて目立たないアンテナを提供することができる。
【実施例２】
【００４８】
次に、図７（ａ）及び（ｂ）を参照して、本発明の第２の実施例を説明する。
【００４９】
第１の実施例で説明した放射素子３のスタブ１１の形状は、アンテナの帯域やリターンロス特性に応じて適宜変更する必要がある。そこで、本実施例では、スタブ１１の形状と折り曲げ方を変更して実施している。
【００５０】
本実施例によるアンテナは、図７（ｂ）に示すように、スタブ１１の形状は、取付穴１１ａを含む長方形状の部分と、その他の略台形状の部分とから構成されている。台形状の部分は、長方形状の部分よりも幅が広く、中央側で最も広く、そこから端部側に向い狭くなっている。このスタブ１１は、長方形状の部分と台形状の部分との境界に折り曲げ部１１ｂが形成され、図７（ａ）に示すように、キャップ５の凹部６内において、中心導体１２に接する部分で、その折り曲げ部１１ｂを介して折り曲げられている。なお、アンテナの放射パターンやその他の作用効果は、第１の実施例と同じである。
（変形例）
次に、図８及び図９を参照して、スタブ１１の折り曲げ方が異なる場合の変形例を説明する。
【００５１】
第１の実施例では、図３に示すように、スタブ１１は、折り曲げ部１１ｂを２箇所有している。これによると、スタブ１１は、キャップ５の凹部６内において、１つ目の折り曲げ部１１ｂを介して、グランド板２側から中心導体１２側に向けて図中の斜め上方に向けて折り曲げている。そして、このスタブ１１は、中心導体１２に接する部分で、２つ目の折り曲げ部１１ｂを介して、中心導体１２に沿って図中の下方向に折り曲げている。
【００５２】
これに対し、図８（ａ）に示す例では、１つ目の折り曲げ部１１ｂの折り曲げ方向が図中の斜め下方向に変更されている。また、図８（ｂ）に示す例では、第２の実施例と同様に、グランド板２と中心導体１２との間に１つ目の折り曲げ部１１ｂが形成されず、２つ目の折り曲げ部１１ｂのみ形成されている。また、図９（ａ）及び（ｂ）に示す例では、１つ目の折り曲げ部１１ｂと２つ目の折り曲げ部１１ｂとの間に３つ目の折り曲げ部１１ｂが形成され、その３つ目の折り曲げ部１１ｂを介して、さらにグランド板２と中心導体１２との間で折り曲げている。
【００５３】
なお、上記の実施例及び変形例では、折り曲げ部は１〜３つ形成しているが、本発明はこれに限らず、アンテナの帯域やリターンロス特性に応じてそれ以上形成してもよい。
【００５４】
次に、図１０（ａ）〜（ｊ）を参照して、スタブ１１の形状が異なる場合の変形例を示す。
【００５５】
図１０（ａ）〜（ｅ）の例では、スタブ１１の形状は、取付穴１１ａ側の長方形状の部分と、その他の形状の部分とから構成される。その他の形状の部分は、矩形状（図１０（ａ））、円形状又は楕円状（図１０（ｂ））、第２の実施例とは逆向きの略台形状（図１０（ｃ））、略正六角形状（図１０（ｄ））、略砂時計状（図１０（ｅ））にそれぞれ形成されている。
【００５６】
また、図１０（ｆ）の例では、取付穴１１ａ側の略逆三角形状の部分と、その他の矩形状の部分とから構成されている。図１０（ｄ）の例では、取付穴１１ａ側の略三角形状の部分と、その他の矩形状の部分とから構成されている。図１０（ｈ）の例では、取付穴１１ａ側の略逆三角形状の部分と、その他の長方形状の部分とから構成されている。図１０（ｉ）の例では、スタブ１１の形状は略十字状に形成されている。さらに、図１０（ｊ）の例では、スタブ１１の形状は逆Ｔ字状に形成されている。
【００５７】
なお、スタブ１１の形状についても、上記の実施例及び変形例に限定されず、アンテナの帯域やリターンロス特性に応じて他の形状を適宜選択してもよい。この場合、スタブ１１の形状は、中心導体１２側の一端と、グランド板２側の他端とを結ぶ中心線を基準にして線対称の形状に形成されることが好ましい。
【００５８】
また、上記の実施例では、スタブ１１と円盤１３とが直接接していない場合を説明しているが、本発明はこれに限定されず、スタブ１１と円盤１３が直接接するように構成してもよい。この場合も上記と同様の作用効果が得られる。
【産業上の利用可能性】
【００５９】
本発明は、携帯電話システムの基地局アンテナ等の天井埋め込み型アンテナの用途に適用できる。
【図面の簡単な説明】
【００６０】
【図１】本発明の第１の実施例に係る天井埋め込み型アンテナの全体構成を示す斜視図である。
【図２】第１の実施例において、天井埋め込み型アンテナの展開図である。
【図３】（ａ）は、第１の実施例において、スタブの詳細を示す要部断面図、（ｂ）はそのスタブの展開図である。
【図４】（ａ）は、第１の実施例において、天井埋め込み型アンテナの天井取付時の断面図、（ｂ）はその取付金具を示す図である。
【図５】（ａ）は、第１の実施例において、仰角方向の放射パターンを示す図、（ｂ）は周囲方向の放射パターンを示す図である。
【図６】第１の実施例において、リターンロス特性を示す図である。
【図７】（ａ）は、本発明の第２の実施例に係る天井埋め込み型アンテナの要部構成を示す斜視図、（ｂ）はスタブの展開図である。
【図８】（ａ）及び（ｂ）は、スタブの折り曲げ方が異なる場合の変形例を説明する図である。
【図９】（ａ）及び（ｂ）は、スタブの折り曲げ方が異なる場合の他の変形例を説明する図である。
【図１０】（ａ）〜（ｊ）は、スタブの形状が異なる場合の変形例を説明する図である。
【図１１】（ａ）は、従来例のモノポールアンテナを示す断面図、（ｂ）は、その斜視図である。
【図１２】（ａ）は、従来例のマイクロストリップアンテナを示す断面図、（ｂ）は、その斜視図である。
【符号の説明】
【００６１】
１  同軸コネクタ
２  グランド板
２ａ、２ｂ、２ｃ  取付穴
３  放射素子
４  カバー
５  キャップ
６  凹部（くぼみ）
７  ボルト
８  ネジ
９  ネジ
１１  スタブ
１２  中心導体
１３  円盤
１５  ネジ
１６  取付金具
１６ａ  円形状開口
１６ｂ  取付穴
１７  ボルト
１８  ナット
【図１】
0004697595.tif 000002
【図２】
0004697595.tif 000003
【図３】
0004697595.tif 000004
【図４】
0004697595.tif 000005
【図５】
0004697595.tif 000006
【図６】
0004697595.tif 000007
【図７】
0004697595.tif 000008
【図８】
0004697595.tif 000009
【図９】
0004697595.tif 000010
【図１０】
0004697595.tif 000011
【図１１】
0004697595.tif 000012
【図１２】
0004697595.tif 000013